(57)【要約】  本発明は、位置を求める要求を処理するための方法であって、対象ＵＥが、位置を求める要求をＬＣＳシステムに送信し、対象ＵＥの位置情報を要求元に提供するように、ＬＣＳシステムに依頼する段階と、ＬＣＳシステムが、対象ＵＥを測位し、対象ＵＥの位置推定値を獲得すると共に、対象ＵＥの正体を秘密にすることが必要とされるかどうかを判定する段階と、対象ＵＥの正体を秘密にすることが必要とされる場合には、ＬＣＳシステムが、対象ＵＥの偽名及び位置情報を要求元に送信する段階と、そうでなければ、ＬＣＳシステムが、対象ＵＥの正体及び位置情報を要求元に送信する段階とを含む。本発明は、ＬＣＳシステムが利用者の要求に基づいて対象ＵＥの正体を秘密にするかどうか決定することを可能にし、位置サービスの柔軟性を改良する。ＬＣＳシステムが対象ＵＥの正体を秘密にすることができるので、位置サービスを使用することの安全性が強化される。
2007519346.tif 000002
【特許請求の範囲】
【請求項１】
対象利用者装置（ＵＥ）が、位置を求める要求を位置サービス（ＬＣＳ）システムに送信すると共に、前記対象ＵＥの位置情報を要求元に提供するように、前記ＬＣＳシステムに依頼する段階と、
前記ＬＣＳシステムが、前記対象ＵＥを測位すると共に、前記対象ＵＥの位置情報を獲得する段階と、
前記対象ＵＥの正体が秘密にされるべきであるかどうかを、前記ＬＣＳシステムが判定すると共に、もし前記対象ＵＥの正体が秘密にされるべきである場合には、前記対象ＵＥの位置情報と偽名を前記要求元に送信する段階と
を含むことを特徴とする位置を求める要求を処理するための方法。
【請求項２】
前記対象ＵＥの正体が秘密にされるべきであるかどうかを判定する段階が、
前記対象ＵＥによって送信された位置を求める要求が前記対象ＵＥによって指定された偽名を伝達するかどうかを判定すると共に、
もし前記対象ＵＥによって送信された位置を求める要求が前記対象ＵＥによって指定された偽名を伝達する場合には、前記対象ＵＥの位置情報と偽名を前記要求元に送信し、
そうでなければ、前記対象ＵＥの正体と位置情報を前記要求元に送信する段階を含む
ことを特徴とする請求項１に記載の方法。
【請求項３】
前記対象ＵＥの正体が秘密にされるべきであるかどうかを判定する段階が、
前記対象ＵＥによって送信された位置を求める要求が偽名の指示を伝達するかどうかを判定すると共に、
もし前記対象ＵＥによって送信された位置を求める要求が偽名の指示を伝達する場合には、前記対象ＵＥに偽名を割り当てると共に、前記対象ＵＥの位置情報と偽名を前記要求元に送信し、
そうでなければ、前記対象ＵＥの正体と位置情報を前記要求元に送信する段階を含む
ことを特徴とする請求項１に記載の方法。
【請求項４】
前記対象ＵＥの正体が秘密にされるべきであるかどうかを判定する段階が、
前記対象ＵＥによって送信された位置を求める要求が前記対象ＵＥによって指定された偽名を伝達するかどうかを判定すると共に、
もし前記対象ＵＥによって送信された位置を求める要求が前記対象ＵＥによって指定された偽名を伝達する場合には、前記対象ＵＥの位置情報と偽名を前記要求元に送信し、
そうでなければ、更に、前記対象ＵＥによって送信された位置を求める要求が偽名の指示を伝達するかどうかを判定し、
もし位置を求める要求が偽名の指示を伝達する場合には、前記対象ＵＥに偽名を割り当てると共に、前記対象ＵＥの位置情報と偽名を前記要求元に送信し、
もし位置を求める要求が偽名の指示を伝達しない場合には、前記対象ＵＥの正体と位置情報を前記要求元に送信する段階を含む
ことを特徴とする請求項１に記載の方法。
【請求項５】
前記対象ＵＥの正体が秘密にされるべきであるかどうかを判定する段階が、
前記対象ＵＥによって送信された位置を求める要求が偽名の指示を伝達するかどうかを判定し、
もし位置を求める要求が偽名の指示を伝達する場合には、前記対象ＵＥに偽名を割り当てると共に、前記対象ＵＥの位置情報と偽名を前記要求元に送信し、
もし位置を求める要求が偽名の指示を伝達しない場合には、更に、前記対象ＵＥによって送信された位置を求める要求が前記対象ＵＥによって指定された偽名を伝達するかどうかを判定し、
もし位置を求める要求が偽名を伝達する場合には、前記対象ＵＥの位置情報と偽名を前記要求元に送信し、
もし位置を求める要求が偽名を伝達しない場合には、前記対象ＵＥの正体と位置情報を前記要求元に送信する段階を含む
ことを特徴とする請求項１に記載の方法。
【請求項６】
前記対象ＵＥの正体が秘密にされるべきであるかどうかを判定する段階が、
前記対象ＵＥの位置情報を受信することを求める要求元が前記対象ＵＥの正体を分析するべきであるかどうかを判定すると共に、
もし前記対象ＵＥの位置情報を受信することを求める要求元が前記対象ＵＥの正体を分析するべきではない場合には、前記対象ＵＥに偽名を割り当てると共に、前記対象ＵＥの位置情報と偽名を前記要求元に送信し、
そうでなければ、前記対象ＵＥの正体と位置情報を前記要求元に送信する段階を含む
ことを特徴とする請求項１に記載の方法。
【請求項７】
前記偽名が、ホームゲートウェイ移動体位置センタ（Ｈ−ＧＭＬＣ）、訪問先ゲートウェイ移動体位置センタ（Ｖ−ＧＭＬＣ）、またはＬＣＳシステムにおいて要求元にアクセスすることができるゲートウェイ移動体位置センタ（ＧＭＬＣ）によって割り当てられるか、
もう一つの方法として、前記偽名が、前記Ｈ−ＧＭＬＣ、前記Ｖ−ＧＭＬＣ、ＬＣＳシステムの構成要素、または前記Ｈ−ＧＭＬＣ、前記Ｖ−ＧＭＬＣ、前記ＬＣＳシステムの構成要素の後で前記要求元にアクセスすることができる前記ＧＭＬＣ、または前記ＬＣＳシステムの構成要素と情報を送受信する前記ＧＭＬＣによって割り当てられると共に、
前記ＬＣＳシステムの構成要素が、偽名調停装置（ＰＭＤ）、または前記Ｈ−ＧＭＬＣである
ことを特徴とする請求項３から請求項６のいずれか一項に記載の方法。
【請求項８】
前記対象ＵＥの位置情報と偽名を前記要求元に送信する段階が、
ｃ１）無線アクセスネットワーク（ＲＡＮ）によって獲得された前記対象ＵＥの位置情報を受信すると、ＧＭＬＣアドレスが前記対象ＵＥによって提起された位置を求める要求内で伝達されるかどうかをＬＣＳシステムにおけるコアネットワーク（ＣＮ）が判定すると共に、
もし、ＧＭＬＣアドレスが前記対象ＵＥによって提起された位置を求める要求内で伝達される場合には、
ｃ２）前記ＣＮが少なくとも前記対象ＵＥの位置情報を含む前記対象ＵＥの位置報告を前記ＧＭＬＣアドレスに基づいてＧＭＬＣに送信し、該ＧＭＬＣが少なくとも前記対象ＵＥの位置情報と偽名を含む前記対象ＵＥの位置報告を前記要求元に送信すると共に、本方法の現在の処理を終了し、
そうでなければ、
ｃ３）前記ＣＮが少なくとも前記対象ＵＥの位置情報を含む前記対象ＵＥの位置報告をＶ−ＧＭＬＣに送信し、該Ｖ−ＧＭＬＣが少なくとも前記対象ＵＥの位置情報と偽名を含む前記対象ＵＥの位置報告を前記要求元に送信する段階を含む
ことを特徴とする請求項１から請求項６のいずれか一項に記載の方法。
【請求項９】
前記ｃ２）段階において、前記対象ＵＥの位置報告をＧＭＬＣに送信する段階の前に、前記ＧＭＬＣが前記ＧＭＬＣアドレスに基づいて直接アクセスされ得るかどうかを前記ＣＮが判定すると共に、
もし前記ＧＭＬＣが前記ＧＭＬＣアドレスに基づいて直接アクセスされ得る場合には、前記対象ＵＥの位置報告をＧＭＬＣに直接送信し、
そうでなければ、前記ＣＮが前記対象ＵＥの位置報告を前記Ｖ−ＧＭＬＣに送信すると共に、該Ｖ−ＧＭＬＣが前記対象ＵＥの位置報告を前記ＧＭＬＣに送信する段階を更に含む
ことを特徴とする請求項８に記載の方法。
【請求項１０】
前記位置を求める要求が、前記要求元の識別情報を更に含む
ことを特徴とする請求項８に記載の方法。
【請求項１１】
前記Ｖ−ＧＭＬＣが前記対象ＵＥの位置報告を前記要求元に送信する段階の前に、
前記要求元が前記要求元の識別情報に基づいて直接アクセスされ得るかどうかを判定すると共に、
もし前記要求元が前記要求元の識別情報に基づいて直接アクセスされ得る場合には、前記Ｖ−ＧＭＬＣが前記対象ＵＥの位置報告を前記要求元に直接送信し、
そうでなければ、前記対象ＵＥの位置報告を前記要求元にアクセスすることができるＧＭＬＣに送信すると共に、該ＧＭＬＣによって前記対象ＵＥの位置報告が前記要求元に送信される段階を更に含む
ことを特徴とする請求項１０に記載の方法。
【請求項１２】
前記位置報告が、前記対象ＵＥによって指定された偽名、または偽名の指示を更に伝達する
ことを特徴とする請求項８に記載の方法。
【請求項１３】
前記対象ＵＥの位置情報と偽名を前記要求元に送信する段階が、
ＲＡＮによって獲得された前記対象ＵＥの位置情報を受信した後で、前記ＬＣＳシステムにおけるＣＮが前記対象ＵＥの位置情報を少なくとも伝達する前記対象ＵＥの位置報告をＶ−ＧＭＬＣに送信し、
前記Ｖ−ＧＭＬＣが前記対象ＵＥの位置報告をＨ−ＧＭＬＣに送信し、
前記Ｈ−ＧＭＬＣが前記対象ＵＥの位置情報と偽名を少なくとも含む前記対象ＵＥの位置報告を前記要求元に送信する段階を含む
ことを特徴とする請求項１から請求項６のいずれか一項に記載の方法。
【請求項１４】
前記Ｈ−ＧＭＬＣによって前記対象ＵＥの位置報告を前記要求元に送信する段階が、
ＧＭＬＣアドレスが前記対象ＵＥの位置報告内で伝達されるかどうかを前記Ｈ−ＧＭＬＣが判定し、
もしＧＭＬＣアドレスが前記対象ＵＥの位置報告内で伝達される場合には、前記Ｈ−ＧＭＬＣが前記対象ＵＥの位置報告を前記ＧＭＬＣアドレスに対応するＧＭＬＣに送信し、前記ＧＭＬＣが前記対象ＵＥの位置報告を前記要求元に送信すると共に、
そうでなければ、前記要求元が前記要求元の識別情報に基づいて直接アクセスされ得るかどうかを前記Ｈ−ＧＭＬＣが更に判定し、
もし前記要求元が直接アクセスされ得る場合には、前記Ｈ−ＧＭＬＣが前記対象ＵＥの位置報告を前記要求元に直接送信し、
もし前記要求元が直接アクセスされ得ない場合には、前記Ｈ−ＧＭＬＣが前記対象ＵＥの位置報告を前記要求元にアクセスすることができるＧＭＬＣに送信し、該ＧＭＬＣが前記対象ＵＥの位置報告を前記要求元に送信する段階を含む
ことを特徴とする請求項１３に記載の方法。
【請求項１５】
前記Ｈ−ＧＭＬＣが前記対象ＵＥの位置報告を前記要求元に送信する段階の前に、
前記要求元が前記要求元の識別情報に基づいて直接アクセスされ得るかどうかを前記Ｈ−ＧＭＬＣが判定し、
もし前記要求元が直接アクセスされ得る場合には、前記対象ＵＥの位置報告を前記要求元に直接送信し、
そうでなければ、前記対象ＵＥの位置報告を前記要求元にアクセスすることができるＧＭＬＣに送信し、該ＧＭＬＣが前記対象ＵＥの位置報告を前記要求元に送信する段階を含む
ことを特徴とする請求項１３に記載の方法。
【請求項１６】
前記対象ＵＥの位置報告が、前記対象ＵＥによって指定された偽名、または偽名の指示を更に伝達する
ことを特徴とする請求項１３に記載の方法。
【請求項１７】
前記対象ＵＥの位置情報と偽名を前記要求元に送信する段階において、
前記ＬＣＳシステムが前記対象ＵＥの位置情報と偽名を前記要求元に送信する段階の後に、前記要求元が受信された前記対象ＵＥの位置情報を処理すると共に、前記対象ＵＥの位置情報の処理結果を前記ＬＣＳシステムに返信し、ＬＣＳシステムが前記対象ＵＥの位置情報の処理結果を前記対象ＵＥに返信する段階を更に含む
ことを特徴とする請求項１から請求項６のいずれか一項に記載の方法。
【発明の詳細な説明】
【技術分野】
【０００１】
本発明は、ネットワーク装置に関する測位技術に関すると共に、更に特に位置を求める要求を処理するための方法に関するものである。
【背景技術】
【０００２】
移動体通信ネットワークの位置サービス（ＬＣＳ）は、対象ＵＥが移動体通信ネットワークにおいて測位されるべきである利用者端末のことを指すと共に、位置が緯度及び経度において表された地理的な情報であり得るか、または位置が一般道路に関する位置データであり得る位置技術によって、対象利用者装置（ＵＥ）の位置を獲得することである。移動体通信ネットワークによって獲得された位置は、対象ＵＥの自己の測位（self-locating）のために対象ＵＥに提供され得るか、または、地域特有の課金、もしくは操作上の保守のために通信ネットワークそれ自身に提供され得るか、または、付加価値サービスのために対象ＵＥの位置を要求する他のアプリケーションクライアント、例えばサービス提供機関、または個人に提供され得る。従って、位置サービスは、緊急救助、車両ナビゲーション及びインテリジェント（知的）交通システム、ジョブディスパッチ（job dispatch）及びチーム管理、移動体イエローページ照会（mobile-yellow-page query）、及びネットワーク性能の強化のような分野において幅広いアプリケーションを有している。第３世代パートナーシッププロジェクト（3rd Generation Partner Project：３ＧＰＰ）において、ＬＣＳを実現するための動作モード、構造、状態記述、及びメッセージフローと同様に、ＬＣＳに関する仕様が示された。
【発明の開示】
【発明が解決しようとする課題】
【０００３】
図１は、ＬＣＳを実現するための論理的構造を説明する構成図である。図１において示されたように、要求元１０１は、ＬＣＳシステムを含むネットワーク１０２が提供する対象ＵＥ１０３の位置を要求する。ネットワーク１０２は、対象ＵＥ１０３が要求元１０１に対象ＵＥ１０３の位置を提供することを許可するかどうかをチェックするために、要求元１０１の正当性の認証を実行する。もし要求元１０１がネットワーク１０２による正当性の認証を通過する場合、ネットワーク１０２は、対象ＵＥ１０３の位置に関して要求元１０１によって提起された要求を受け入れ、対象ＵＥ１０３を測位すると共に、対象ＵＥの測位結果を要求元１０１に提供することになり、そうでなければ、ネットワーク１０２は、対象ＵＥ１０３の位置に関して要求元１０１によって提起された要求を拒絶することになる。記述のために、ＬＣＳシステムを含むネットワークは、以下では略してＬＣＳシステムと命名される。
【０００４】
ＬＣＳシステムにおいて位置サービスを実現するための論理的機能性は、ゲートウェイ移動体位置センタ（Gateway Mobile Location Center：ＧＭＬＣ）、ホーム位置レジスタ（Home Location Register）／ホーム加入者サーバ（Home Subscriber Server）（ＨＬＲ／ＨＳＳ）のような加入者データ記憶サーバ（Subscriber Data Storage Server）、コアネットワーク、無線アクセスネットワーク（ＲＡＮ）を備える。ＧＭＬＣは、更に被要請ＧＭＬＣ（Requested Gateway Mobile Location Center：Ｒ−ＧＭＬＣ）、ホームＧＭＬＣ（Home Gateway Mobile Location Center：Ｈ−ＧＭＬＣ）、及び訪問先ＧＭＬＣ（Visited Gateway Mobile Location Center：Ｖ−ＧＭＬＣ）を含み得る。Ｒ−ＧＭＬＣは、要求元によって提起された対象ＵＥの位置を求める要求を受信するためのＧＭＬＣである。すなわち、Ｈ−ＧＭＬＣは、対象ＵＥが属するＧＭＬＣのことを指すと共に、Ｖ−ＧＭＬＣは、現在対象ＵＥにサービスしているＧＭＬＣ、すなわち、現在対象ＵＥの供給ノードと接続されるＧＭＬＣのことを指す。Ｒ−ＧＭＬＣ、Ｈ−ＧＭＬＣ、及びＶ−ＧＭＬＣは、同じ物理的構成要素において統合され得るか、または個別の物理的構成要素であり得る。
【０００５】
これまでは、“移動体発信元位置要求（Mobile Originating Location Request：ＭＯ−ＬＲ）”の手続きは、３ＧＰＰ仕様書において定義された。ＭＯ−ＬＲは、ＬＣＳシステムから、対象ＵＥによって提起された、それ自身の位置を求める要求である。対象ＵＥを測位した後で、ＬＣＳシステムは、測位結果を対象ＵＥに返信することになる。更に、対象ＵＥの要求に基づいて、ＬＣＳシステムは、外部の要求元に対象ＵＥの測位結果を提供することができる。要求元は、ここでは、対象ＵＥの位置情報を扱うことができるＬＣＳクライアント、または他のアプリケーションクライアントのことを指す。
【０００６】
図２は、従来技術におけるＭＯ−ＬＲを処理するためのフローチャートである。図２において示されたように、ＭＯ−ＬＲの処理は、以下のステップを含む。
【０００７】
ステップ２０１：対象ＵＥは、ＲＡＮ経由で対象ＵＥの識別情報をＣＮに伝達し、ＬＣＳシステムとの無線信号伝達接続（radio signaling connection）を確立することを要求するサービス要求を送信する。その場合に、ＬＣＳシステムは、対象ＵＥの識別情報に基づいて、対象ＵＥに関する認証及び暗号化の手続きを開始することができる。もし対象ＵＥがＬＣＳシステムを含むネットワークによって認証された場合、ステップ２０２を続行する。そうでなければ、無線信号伝達接続を確立することに関する、対象ＵＥによって提起されたサービス要求を拒絶すると共に、ＭＯ−ＬＲの現在の処理を終了する。
【０００８】
ステップ２０２：対象ＵＥは、対象ＵＥの識別情報を含むＲＡＮ経由で“位置サービス要請（Location Service Invoke）”をＣＮに送信し、ＬＣＳシステムに、対象ＵＥを測位すると共に、測位結果を対象ＵＥに返信することを要求する。“位置サービス要請”は、要求元の識別情報を更に伝達することができ、対象ＵＥの位置情報を要求元に提供することを、ＬＣＳシステムに要求する。“位置サービス要請”は、対象ＵＥにより指定されたＧＭＬＣアドレスを更に伝達することができ、対象ＵＥの位置情報を、ＧＭＬＣアドレスに対応するＧＭＬＣ経由で要求元に提供することをＣＮに要求する。もし“位置サービス要請”がＧＭＬＣアドレスを伝達しない場合、ＣＮは、ＣＮに保存されている割り当てられたＧＭＬＣアドレスに基づいてＧＭＬＣを“位置サービス要請”に対して割り当てると共に、対象ＵＥの位置情報をＣＮによって割り当てられたＧＭＬＣ経由で要求元に提供することになる。ここで、ＣＮによって割り当てられたＧＭＬＣは、Ｖ−ＧＭＬＣと呼ばれる。
【０００９】
ステップ２０３〜２０５：“位置サービス要請”を受信した後で、ＣＮは、対象ＵＥの識別情報を伝達する“位置要求”をＲＡＮに送信する。“位置要求”を受信すると、ＲＡＮは、対象ＵＥの識別情報に基づいて対象ＵＥを測位することになる。もしＲＡＮが対象ＵＥを測位することに成功する場合、それは、対象ＵＥの位置情報を含む“位置報告”をＣＮに返信する。ＣＮが対象ＵＥの位置情報を伝達する“位置報告”を受信した後で、それは、対象ＵＥによって提起された“位置サービス要請”がＧＭＬＣアドレスを伝達するかどうかを判定すると共に、もし“位置サービス要請”がＧＭＬＣアドレスを伝達する場合、ＣＮは、ＣＮそのものがＧＭＬＣアドレスに対応するＧＭＬＣに直接アクセスすることができるかどうかを判定し続けることになる。もしＣＮがＧＭＬＣに直接アクセスすることができる場合、それは、対象ＵＥの識別情報及び位置情報を伝達する、対象ＵＥの“加入者位置報告”を、ＧＭＬＣに直接送信することになると共に、ここで、図２において示されたＶ−ＧＭＬＣとＧＭＬＣとの間の対話、すなわち、ステップ２０７、及びステップ２１０は省略され得る。もしＣＮがＧＭＬＣに直接アクセスすることができない場合、それは、それによって直接アクセスされ得るＶ−ＧＭＬＣを割り当てると共に、対象ＵＥの識別情報及び位置情報、要求元の識別情報、“位置サービス要請”内で伝達されるＧＭＬＣアドレスを含む“加入者位置報告”をＶ−ＧＭＬＣに送信し、その場合にステップ２０６を続行することになる。もし対象ＵＥによって提起された“位置サービス要請”がＧＭＬＣアドレスを伝達しない場合、ＣＮは、ＣＮによって直接アクセスされ得るＶ−ＧＭＬＣを割り当てると共に、対象ＵＥの識別情報、対象ＵＥの位置情報、及び要求元の識別情報を伝達する対象ＵＥの“加入者位置報告”をＶ−ＧＭＬＣに送信し、その場合には、ステップ２０６を続行することになる。もしＲＡＮが対象ＵＥを測位することができない場合、ＲＡＮは、エラー原因の値を伝達する“位置報告”をＣＮに返信すると共に、ステップ２１２に直接進行することになる。すなわち、ＣＮは、エラー原因の値を伝達する“ＬＣＳ  ＭＯ−ＬＲ  返信結果（Return Result）”をＲＡＮ経由で対象ＵＥに送信する。
【００１０】
ステップ２０６：対象ＵＥの“位置報告”を受信した後で、Ｖ−ＧＭＬＣは、“位置報告”がＧＭＬＣのアドレスを伝達するかどうかを判定すると共に、もし位置報告がＧＭＬＣのアドレスを伝達する場合、その場合にはステップ２０７に進行し、そうでなければ、Ｖ−ＧＭＬＣは、Ｖ−ＧＭＬＣが要求元の識別情報に基づいて要求元に直接アクセスすることができるかどうかを判定することになる。もしＶ−ＧＭＬＣが要求元に直接アクセスすることができる場合、それは、対象ＵＥの識別情報及び位置情報を伝達する対象ＵＥの“位置情報”を要求元に直接送信することになると共に、ここで、Ｖ−ＧＭＬＣとＧＭＬＣとの間の対話、すなわち、ステップ２０７、及びステップ２１０は省略され得る。そうでなければ、Ｖ−ＧＭＬＣは、要求元の識別情報に基づいて要求元にアクセスすることができるＧＭＬＣを割り当てると共に、その場合にはステップ２０７を続行することになる。
【００１１】
ステップ２０７：ＧＭＬＣアドレスに基づいて、Ｖ−ＧＭＬＣは、対象ＵＥの識別情報、対象ＵＥの位置情報、及び要求元の識別情報を伝達する“ＭＯ−ＬＲ位置情報”をＧＭＬＣに送信する。
【００１２】
ステップ２０８：対象ＵＥの“ＭＯ−ＬＲ位置情報”を受信した後で、ＧＭＬＣは、対象ＵＥの識別情報及び位置情報を要求元の識別情報に基づいて要求元に伝達する、対象ＵＥの位置情報を送信する。
【００１３】
ステップ２０９：対象ＵＥの“位置情報”を受信した後で、サービス要求に基づいて、要求元は対象ＵＥの位置情報の対応する処理を実行し、その場合に、対象ＵＥの“位置情報Ａｃｋ”をＧＭＬＣに返信する。もし要求元によって受信された対象ＵＥの“位置情報”がＶ−ＧＭＬＣから提供される場合、その要求元は、対象ＵＥの“位置情報Ａｃｋ”をＶ−ＧＭＬＣに直接返信することになる。
【００１４】
ステップ２１０：対象ＵＥの“位置情報Ａｃｋ”を受信すると、ＧＭＬＣは、対象ＵＥの“ＭＯ−ＬＲ位置情報Ａｃｋ”をＶ−ＧＭＬＣに返信する。もしＧＭＬＣによって受信された“ＭＯ−ＬＲ位置情報”がＣＮから提供される場合、ＧＭＬＣは、対象ＵＥの“加入者位置報告Ａｃｋ”をＣＮに直接返信する。
【００１５】
ステップ２１１：対象ＵＥの“ＭＯ−ＬＲ位置情報Ａｃｋ”を受信した後で、Ｖ−ＧＭＬＣは、対象ＵＥの“加入者位置報告Ａｃｋ”をＣＮに返信する。
【００１６】
ステップ２１２：“加入者位置報告Ａｃｋ”を受信した後で、ＣＮは、ＲＡＮ経由で対象ＵＥの“位置情報”を伝達する“ＬＣＳ  ＭＯ−ＬＲ  返信結果（Return Result）”を対象ＵＥに送信し、その位置情報が適切な要求元に提供されたことを対象ＵＥに通知すると共に、対象ＵＥの位置情報の処理結果が要求元に提供されたことを対象ＵＥに通告する。
【００１７】
もし要求元がサービス要求に基づいて対象ＵＥの位置情報を処理することができる場合、要求元がＬＣＳシステムに返信する対象ＵＥの“位置情報Ａｃｋ”は、成功フラグを含むことになると共に、これに対して、ＬＣＳシステムが対象ＵＥに送信する“ＬＣＳ  ＭＯ−ＬＲ  返信結果”は、成功フラグを伝達することになると共に、対象ＵＥの位置情報の要求元の処理結果を更に含むことになる。もし、要求元がサービス要求に基づいて対象ＵＥの位置情報を処理することができない場合、要求元によってＬＣＳシステムに返信された対象ＵＥの“位置情報Ａｃｋ”は、失敗フラグを伝達することになる。これに対して、ＬＣＳシステムにより対象ＵＥに送信される“ＬＣＳ  ＭＯ−ＬＲ  返信結果”は、失敗フラグを含むことになると共に、エラー原因の値を更に伝達することができる。前述された３ＧＰＰ仕様によって定義されたＭＯ−ＬＲ手続きから分かるように、もし対象ＵＥが、それ自身の位置をＬＣＳシステムに要求すると共に、対象ＵＥの位置情報を要求元に提供するようにＬＣＳシステムに依頼する場合、対象ＵＥを測位すると共に、対象ＵＥの位置推定値を獲得した後で、ＬＣＳシステムは、位置推定値に基づいて対象ＵＥの位置情報を要求元に提供することになる。対象ＵＥの位置情報を要求元に提供すると、ＬＣＳシステムは、対象ＵＥの正体を要求元に同時に提供する。正体は、例えば、“ＭＳＩＳＤＮ（Mobile Station International ISDN Number）”、または“ＩＭＳＩ（International Mobile Subscriber Identity）”等、移動体通信ネットワークにより統一された方法で対象ＵＥに割り当てられると共に、対象ＵＥを比類なく識別することができる一種の識別情報である。実際上、対象ＵＥが対象ＵＥの位置情報を要求元に提供することをＬＣＳシステムにを要求するとき、安全性及びプライバシのために、対象ＵＥは、それ自身の正体が秘密にされることを望むかもしれない。
【００１８】
更に、対象ＵＥの位置情報を対応するサービス要求に基づいて処理することを要求元に依頼するために、もし対象ＵＥが自己定義の識別情報を使用することによって要求元のサービスに加入する場合、ＬＣＳシステムは要求元にＵＥの正体だけを提供することができるので、要求元はＵＥの正体に基づいてＵＥの加入情報をほとんど獲得し得ない。
【課題を解決するための手段】
【００１９】
上記を考慮した結果、本発明の目的は、利用者のＬＣＳ利用における柔軟性を向上させるために、位置を求める要求を処理するための方法を提供することである。
【００２０】
本発明による技術的解決法は、以下の通りである。
【００２１】
位置を求める要求を処理するための方法であって、対象利用者装置（ＵＥ）が、位置を求める要求を位置サービス（ＬＣＳ）システムに送信すると共に、前記対象ＵＥの位置情報を要求元に提供するように、前記ＬＣＳシステムに依頼する段階と、前記ＬＣＳシステムが、前記対象ＵＥを測位すると共に、前記対象ＵＥの位置情報を獲得する段階と、前記対象ＵＥの正体が秘密にされるべきであるかどうかを前記ＬＣＳシステムが判定すると共に、もし前記対象ＵＥの正体が秘密にされるべきである場合には、前記対象ＵＥの位置情報と偽名を前記要求元に送信する段階とを含むことを特徴とする。
【００２２】
前記対象ＵＥの正体が秘密にされるべきであるかどうかを判定する段階は、前記対象ＵＥによって送信された位置を求める要求が前記対象ＵＥによって指定された偽名を伝達するかどうかを判定すると共に、もし前記対象ＵＥによって送信された位置を求める要求が前記対象ＵＥによって指定された偽名を伝達する場合には、前記対象ＵＥの位置情報と偽名を前記要求元に送信し、そうでなければ、前記対象ＵＥの正体と位置情報を前記要求元に送信する段階を含み得る。
【００２３】
前記対象ＵＥの正体が秘密にされるべきであるかどうかを判定する段階は、前記対象ＵＥによって送信された位置を求める要求が偽名の指示を伝達するかどうかを判定すると共に、前記対象ＵＥによって送信された位置を求める要求が偽名の指示を伝達する場合には、前記対象ＵＥに偽名を割り当てると共に、前記対象ＵＥの位置情報と偽名を前記要求元に送信し、そうでなければ、前記対象ＵＥの正体と位置情報を前記要求元に送信する段階を含み得る。
【００２４】
前記対象ＵＥの正体が秘密にされるべきであるかどうかを判定する段階は、前記対象ＵＥによって送信された位置を求める要求が前記対象ＵＥによって指定された偽名を伝達するかどうかを判定すると共に、もし前記対象ＵＥによって送信された位置を求める要求が前記対象ＵＥによって指定された偽名を伝達する場合には、前記対象ＵＥの位置情報と偽名を前記要求元に送信し、そうでなければ、更に、前記対象ＵＥによって送信された位置を求める要求が偽名の指示を伝達するかどうかを判定し、もし位置を求める要求が偽名の指示を伝達する場合には、前記対象ＵＥに偽名を割り当てると共に、前記対象ＵＥの位置情報と偽名を前記要求元に送信し、もし位置を求める要求が偽名の指示を伝達しない場合には、前記対象ＵＥの正体と位置情報を前記要求元に送信する段階を含み得る。
【００２５】
前記対象ＵＥの正体が秘密にされるべきであるかどうかを判定する段階は、前記対象ＵＥによって送信された位置を求める要求が偽名の指示を伝達するかどうかを判定し、もし位置を求める要求が偽名の指示を伝達する場合には、対象ＵＥに偽名を割り当てると共に、対象ＵＥの位置情報と偽名を要求元に送信し、もし位置を求める要求が偽名の指示を伝達しない場合には、更に、前記対象ＵＥによって送信された位置を求める要求が前記対象ＵＥによって指定された偽名を伝達するかどうかを判定し、もし位置を求める要求が偽名を伝達する場合には、前記対象ＵＥの位置情報と偽名を前記要求元に送信し、もし位置を求める要求が偽名を伝達しない場合には、前記対象ＵＥの正体と位置情報を前記要求元に送信する段階を含み得る。
【００２６】
前記対象ＵＥの正体が秘密にされるべきであるかどうかを判定する段階は、前記対象ＵＥの位置情報を受信することを求める要求元が前記対象ＵＥの正体を分析するべきであるかどうかを判定すると共に、もし前記対象ＵＥの位置情報を受信することを求める要求元が前記対象ＵＥの正体を分析するべきではない場合には、前記対象ＵＥに偽名を割り当てると共に、前記対象ＵＥの位置情報と偽名を前記要求元に送信し、そうでなければ、前記対象ＵＥの正体と位置情報を前記要求元に送信する段階を含み得る。
【００２７】
前述の解決法において、前記偽名は、ホームゲートウェイ移動体位置センタ（Ｈ−ＧＭＬＣ：Home Gateway Mobile Location Centre）、訪問先ゲートウェイ移動体位置センタ（Ｖ−ＧＭＬＣ：Visited Gateway Mobile Location Centre）、またはＬＣＳシステムにおいて要求元にアクセスすることができるゲートウェイ移動体位置センタ（ＧＭＬＣ：Gateway Mobile Location Centre）によって割り当てられ得るか、もう一つの方法として、前記偽名は、前記Ｈ−ＧＭＬＣ、前記Ｖ−ＧＭＬＣ、ＬＣＳシステムの構成要素、または前記Ｈ−ＧＭＬＣ、前記Ｖ−ＧＭＬＣ、前記ＬＣＳシステムの構成要素の後で要求元にアクセスすることができる前記ＧＭＬＣ、または前記ＬＣＳシステムの構成要素と情報を送受信する前記ＧＭＬＣによって割り当てられると共に、前記ＬＣＳシステムの構成要素は、偽名調停装置（ＰＭＤ：Pseudonym Mediation Device）、または前記Ｈ−ＧＭＬＣであり得る。
【００２８】
前記対象ＵＥの位置情報と偽名を前記要求元に送信する段階は、ｃ１）無線アクセスネットワーク（ＲＡＮ）によって獲得された前記対象ＵＥの位置情報を受信すると、ＧＭＬＣアドレスが前記対象ＵＥによって提起された位置を求める要求内で伝達されるかどうかをＬＣＳシステムにおけるコアネットワーク（ＣＮ）が判定すると共に、もし、ＧＭＬＣアドレスが前記対象ＵＥによって提起された位置を求める要求内で伝達される場合には、ｃ２）前記ＣＮが少なくとも前記対象ＵＥの位置情報を含む前記対象ＵＥの位置報告を前記ＧＭＬＣアドレスに基づいてＧＭＬＣに送信し、該ＧＭＬＣが少なくとも前記対象ＵＥの位置情報と偽名を含む前記対象ＵＥの位置報告を前記要求元に送信すると共に、本方法の現在の処理を終了し、そうでなければ、ｃ３）前記ＣＮが少なくとも前記対象ＵＥの位置情報を含む前記対象ＵＥの位置報告をＶ−ＧＭＬＣに送信し、該Ｖ−ＧＭＬＣが少なくとも前記対象ＵＥの位置情報と偽名を含む前記対象ＵＥの位置報告を前記要求元に送信する段階を含み得る。
【００２９】
前記ｃ２）段階において、前記対象ＵＥの位置報告をＧＭＬＣに送信する段階の前に、前記ＧＭＬＣが前記ＧＭＬＣアドレスに基づいて直接アクセスされ得るかどうかを前記ＣＮが判定すると共に、もし前記ＧＭＬＣが前記ＧＭＬＣアドレスに基づいて直接アクセスされ得る場合には、前記対象ＵＥの位置報告をＧＭＬＣに直接送信し、そうでなければ、前記ＣＮが前記対象ＵＥの位置報告を前記Ｖ−ＧＭＬＣに送信すると共に、該Ｖ−ＧＭＬＣが前記対象ＵＥの位置報告を前記ＧＭＬＣに送信する段階を更に含み得る。
【００３０】
前述の解決法において、前記位置を求める要求は、前記要求元の識別情報を更に含み得る。前記Ｖ−ＧＭＬＣが前記対象ＵＥの位置報告を前記要求元に送信する段階の前に、前記方法は、前記要求元が前記要求元の識別情報に基づいて直接アクセスされ得るかどうかを判定すると共に、もし前記要求元が前記要求元の識別情報に基づいて直接アクセスされ得る場合には、前記Ｖ−ＧＭＬＣが前記対象ＵＥの位置報告を前記要求元に直接送信し、そうでなければ、前記対象ＵＥの位置報告を前記要求元にアクセスすることができるＧＭＬＣに送信すると共に、該ＧＭＬＣによって前記対象ＵＥの位置報告が前記要求元に送信される段階を更に含む。
【００３１】
前述の解決法において、前記位置報告は、前記対象ＵＥによって指定された偽名、または偽名の指示を更に伝達し得る。
【００３２】
前述の解決法において、前記対象ＵＥの位置情報と偽名を前記要求元に送信する段階は、ＲＡＮによって獲得された前記対象ＵＥの位置情報を受信した後で、前記ＬＣＳシステムにおけるＣＮが前記対象ＵＥの位置情報を少なくとも伝達する前記対象ＵＥの位置報告をＶ−ＧＭＬＣに送信し、前記Ｖ−ＧＭＬＣが前記対象ＵＥの位置報告をＨ−ＧＭＬＣに送信し、前記Ｈ−ＧＭＬＣが前記対象ＵＥの位置情報と偽名を少なくとも含む前記対象ＵＥの位置報告を前記要求元に送信する段階を含み得る。
【００３３】
前記Ｈ−ＧＭＬＣによって前記対象ＵＥの位置報告を前記要求元に送信する段階は、ＧＭＬＣアドレスが前記対象ＵＥの位置報告内で伝達されるかどうかを前記Ｈ−ＧＭＬＣが判定し、もしＧＭＬＣアドレスが前記対象ＵＥの位置報告内で伝達される場合には、前記Ｈ−ＧＭＬＣが前記対象ＵＥの位置報告を前記ＧＭＬＣアドレスに対応するＧＭＬＣに送信し、前記ＧＭＬＣが前記対象ＵＥの位置報告を前記要求元に送信すると共に、そうでなければ、前記要求元が前記要求元の識別情報に基づいて直接アクセスされ得るかどうかを前記Ｈ−ＧＭＬＣが更に判定し、もし前記要求元が直接アクセスされ得る場合には、前記Ｈ−ＧＭＬＣが前記対象ＵＥの位置報告を前記要求元に直接送信し、もし前記要求元が直接アクセスされ得ない場合には、前記Ｈ−ＧＭＬＣが前記対象ＵＥの位置報告を前記要求元にアクセスすることができるＧＭＬＣに送信し、該ＧＭＬＣが前記対象ＵＥの位置報告を前記要求元に送信する段階を含み得る。
【００３４】
前記Ｈ−ＧＭＬＣが前記対象ＵＥの位置報告を前記要求元に送信する段階の前に、前記方法は、前記要求元が前記要求元の識別情報に基づいて直接アクセスされ得るかどうかを前記Ｈ−ＧＭＬＣが判定し、もし前記要求元が直接アクセスされ得る場合には、前記対象ＵＥの位置報告を前記要求元に直接送信し、そうでなければ、前記対象ＵＥの位置報告を前記要求元にアクセスすることができるＧＭＬＣに送信し、該ＧＭＬＣが前記対象ＵＥの位置報告を前記要求元に送信する段階を含み得る。
【００３５】
前述の解決法において、前記対象ＵＥの位置報告は、前記対象ＵＥによって指定された偽名、または偽名の指示を更に伝達し得る。
【００３６】
前記対象ＵＥの位置情報と偽名を前記要求元に送信する段階において、前記ＬＣＳシステムが前記対象ＵＥの位置情報と偽名を前記要求元に送信する段階の後に、前記方法は、前記要求元が前記対象ＵＥの受信された位置情報を処理すると共に、前記対象ＵＥの位置情報の処理結果を前記ＬＣＳシステムに返信し、ＬＣＳシステムが前記対象ＵＥの位置情報の処理結果を前記対象ＵＥに返信する段階を更に含み得る。
【００３７】
前述の解決法において、前記対象ＵＥによって創造された位置を求める要求は、ＣＮにおける移動体通信交換局（Mobile services Switching Centre：ＭＳＣ）／ＭＳＣサーバに送信された“位置サービス要請（Location Service Invoke）”であり得るか、または前記ＣＮ内のサービングＧＰＲＳサポートノード（Serving General Packet Radio Service Support Node：ＳＧＳＮ）に送信されたＬＣＳ移動体発信元位置要求（ＭＯ−ＬＲ）要請であり得ると共に、前記要求元は、ＬＣＳクライアント（LCS Client）、ＬＣＳクライアントのグループ、または前記対象ＵＥそのものであり得る。
【００３８】
前述の解決法において、前記対象ＵＥの位置報告は、前記ＧＭＬＣに送信された“ＭＯ−ＬＲ位置情報”か、あるいは、前記Ｖ−ＧＭＬＣに送信された“モバイルアプリケーションパート（Mobile Application Part：ＭＡＰ）加入者位置報告”または“加入者位置報告”か、あるいは前記要求元に送信された“位置情報”であり得る。
【００３９】
本発明によれば、対象ＵＥがそれ自身の位置をＬＣＳシステムに要求すると共に、対象ＵＥの位置情報を提供するようにＬＣＳシステムに依頼する場合、目標ＵＥの位置推定値を取得した後に、ＬＣＳシステムは、対象ＵＥの指示に基づいて、対象ＵＥの位置情報を要求元に提供する間、対象ＵＥの正体を秘密にするか否かを判定することになると共に、もし対象ＵＥの正体を秘密にする場合、ＬＣＳシステムは、対象ＵＥの偽名及び位置情報を要求元に送信することになり、そうでなければ、それは、ＬＣＳシステムは、加入者の要求に基づいて対象ＵＥの正体を秘密にするかどうかを判定すると共に、ＬＣＳの柔軟性を改良することができるように、対象ＵＥの正体及び位置情報を要求元に送信することになる。対象ＵＥの位置情報が要求元に提供される場合に、要求元に対象ＵＥの偽名を提供すると共に、対象ＵＥの正体を秘密にすることによって、ＬＣＳを使用する加入者の安全性が強化される。本発明に基づく方法を使用することによって、ＬＣＳの更に広いアプリケーションが促進されることになる。
【発明を実施するための最良の形態】
【００４０】
本発明は、添付図面を参照して、以下で詳細に示される。
【００４１】
本発明によれば、対象ＵＥがその位置をＬＣＳシステムに要求すると共に、対象ＵＥの位置情報を要求元に提供するようにＬＣＳシステムに依頼する場合、対象ＵＥの位置推定値を獲得した後で、ＬＣＳシステムは、対象ＵＥの指示に基づいて、対象ＵＥの位置情報を要求元に提供する間、対象ＵＥの正体を秘密にするかどうかを判定すると共に、もし対象ＵＥの正体を秘密にする場合、ＬＣＳシステムは、対象ＵＥの位置情報を要求元に提供する時に、対象ＵＥの偽名を要求元に送信することになる。ここで、偽名は、対象ＵＥによってセットされ得るか、またはＬＣＳシステムによって対象ＵＥに割り当てられ得る。そうでなければ、ＬＣＳシステムは、要求元に対象ＵＥの位置情報を提供する間、対象ＵＥの正体を要求元に提供することになる。
【００４２】
対象ＵＥの偽りの識別情報である偽名は、要求元から対象ＵＥの正体を隠すためのものである。偽名は、対象ＵＥの正体の暗号に変えられた形式であり得る。例えば、もし対象ＵＥの正体が、対象ＵＥのホームネットワークの共通キーを使用することによって暗号に変えられる場合、暗号に変えられた結果が対象ＵＥの偽名となることになる。更に、偽名は、例えば、偽名またはＨ−ＧＭＬＣのアドレスを割り当てるための偽名調停装置（ＰＭＤ：Pseudonym Mediation Device）のアドレスのような、偽名そのものに関係するネットワークの構成要素のアドレスを直接含み得ると共に、偽名は、同様に、間接的にＰＭＤまたはＨ−ＧＭＬＣのアドレスを含み得る。偽名の導出によって、ＬＣＳシステムは、偽名に関係するネットワークの構成要素のアドレスを獲得し得る。
【００４３】
図３は、本発明に従ってＭＯ−ＬＲを処理するためのフローチャートである。図３において示されたように、ＭＯ−ＬＲ手続きは、以下のステップを含む。
【００４４】
ステップ３０１〜３０２：対象ＵＥは、ＬＣＳシステムに対する位置を求める要求を創造し、対象ＵＥを測位すると共に、対象ＵＥの位置情報を要求元に提供するように、ＬＣＳシステムに要求する。ＬＣＳシステムは、対象ＵＥを測位すると共に、対象ＵＥの位置情報を獲得する。
【００４５】
ステップ３０３：ＬＣＳシステムは、対象ＵＥによって提起された位置を求める要求が偽名を伝達するかどうかを判定すると共に、もし位置を求める要求が偽名を伝達する場合には、ステップ３０４へ進行し、そうでなければ、ステップ３０５に進行する。
【００４６】
ステップ３０４：ＬＣＳシステムは、対象ＵＥの識別情報として偽名を使用すると共に、偽名及び対象ＵＥの位置情報を要求元に送信し、現在のＭＯ−ＬＲ手続きを終了する。
【００４７】
ステップ３０５：ＬＣＳシステムは、対象ＵＥにより提起された位置を求める要求が偽名の指示を伝達するかどうかを判定すると共に、もし位置を求める要求が偽名の指示を伝達する場合、ステップ３０６に進行し、そうでなければ、ステップ３０８に進行する。
【００４８】
ステップ３０６〜３０７：ＬＣＳシステムは、対象ＵＥに、対象ＵＥを識別できる偽名を割り当てると共に、対象ＵＥの偽名及び位置情報を要求元に送信し、現在のＭＯ−ＬＲ手続きを終了する。
【００４９】
ステップ３０８：ＬＣＳシステムは、対象ＵＥの正体を含む対象ＵＥの位置情報を要求元に送信する。
【００５０】
上述のステップ３０３及びステップ３０５はスワップすることができ、すなわち、対象ＵＥを測位すると共に、対象ＵＥの位置情報を獲得した後で、ＬＣＳシステムは、最初にステップ３０５を実行すると共に、すなわち、その後で対象ＵＥによって創造された位置を求める要求が偽名の指示を伝達するかどうかを判定することができる。もし位置を求める要求が偽名の指示を伝達する場合、ステップ３０６に進行すると共に、もしそれが偽名の指示を伝達しない場合、対象ＵＥによって創造された位置の要求が偽名を伝達するかどうかを判定し続ける。もし位置を求める要求が偽名を伝達する場合、ステップ３０４に進行すると共に、そうでなければ、ステップ３０８に進行する。
【００５１】
更に、ステップ３０６からステップ３０７において、対象ＵＥにより創造された位置を求める要求が偽名の指示を含むとＬＣＳシステムが判定する場合、ＬＣＳシステムは、その代りに対象ＵＥを識別し得る偽名を対象ＵＥに割り当てることができない。その代りに、それは、対象ＵＥの偽名も正体も伴わずに、対象ＵＥの位置情報のみを要求元に送信すると共に、その後、現在のＭＯ−ＬＲ手続きを終了することができる。
【００５２】
図４は、本発明の別の実施例のフローチャートである。図４において示されたように、本実施例において、要求元の識別情報を伝達するＭＯ−ＬＲの手続きは、以下のステップを含む。
【００５３】
ステップ４０１〜４０３：対象ＵＥは、ネットワークとの無線信号伝達接続をセットアップすることを要求するコールマネジメントサービス要求（CM Service Request：Call Management Service Request）をＲＡＮに送信する。ＣＭサービス要求を受信した後で、ＲＡＮは、ＣＭサービス要求をＭＳＣ／ＭＳＣサーバに転送する。ＣＭサービス要求を受信した後で、ＭＳＣ／ＭＳＣサーバは、対象ＵＥが、保存された情報に基づいて、対象ＵＥによって提起されたＭＯ−ＬＲサービスを承認したかどうかを判定する。もし対象ＵＥがＭＯ−ＬＲサービスを承認しなかった場合、ＭＳＣ／ＭＳＣサーバは、対象ＵＥによって創造されたＭＯ−ＬＲサービス要求を拒絶するために、エラー原因の値を伝達する“ＬＣＳ  ＭＯ−ＬＲ  測位結果”を対象ＵＥに返信することになる。もし対象ＵＥがＭＯ−ＬＲサービスを承認した場合、ＭＳＣ／ＭＳＣサーバは、対象ＵＥの認証及び暗号化を完成するために、対象ＵＥと情報をやり取りすることになる。もし対象ＵＥが認証された場合、ＭＳＣ／ＭＳＣサーバは、提起されたＣＭサービス要求が承認されることを対象ＵＥに通知すると共に、ステップ４０４を続行することになる。もし対象ＵＥが認証されなかった場合、ＭＳＣ／ＭＳＣサーバは、提起されたＣＭサービス要求は拒絶されたことを対象ＵＥに通知することになる。
【００５４】
ステップ４０４〜４０５：ＭＳＣ／ＭＳＣサーバによって認証された後で、対象ＵＥは、対象ＵＥを測位することをＬＣＳシステムに要求する“位置サービス要請”をＭＳＣ／ＭＳＣサーバに送信する。“位置サービス要請”は、対象ＵＥによって設定された偽名、及び要求元の識別情報を含むと共に、対象ＵＥの正体を要求元に提供しないように、しかし対象ＵＥの位置情報を要求元に提供する時に、対象ＵＥの偽名を要求元に提供するようにＬＣＳシステムに依頼する。“位置サービス要請”は、対象ＵＥによって指定されたＧＭＬＣアドレスを更に伝達することができると共に、ＧＭＬＣアドレスに対応するＧＭＬＣを通して対象ＵＥの位置情報を要求元に提供するようにＣＮに依頼する。“位置サービス要請”を受信した後で、ＭＳＣ／ＭＳＣサーバは、対象ＵＥに関する“位置要求”をＲＡＮに送信する。
【００５５】
ステップ４０６〜４０７：“位置要求”を受信した後で、ＲＡＮは、対象ＵＥの位置推定値を獲得するために、対象ＵＥを測位する。もしそれが対象ＵＥを測位することに成功する場合、ＲＡＮは、対象ＵＥの位置情報を伝達する“位置報告”をＭＳＣ／ＭＳＣサーバに返信することになる。対象ＵＥの位置情報を含む“位置報告”を受信した後で、ＭＳＣ／ＭＳＣサーバは、対象ＵＥによって提起された“位置サービス要請”がＧＭＬＣアドレスを伝達するか否かを判定すると共に、もし“位置サービス要請”がＧＭＬＣのアドレスを伝達する場合には、ＭＳＣ／ＭＳＣサーバ自身が、ＧＭＬＣアドレスに対応するＧＭＬＣに直接アクセスすることができるかどうかを判定し続ける。もしＭＳＣ／ＭＳＣサーバがＧＭＬＣに直接アクセスすることができる場合、それは、対象ＵＥの偽名及び位置情報を伝達する“ＭＡＰ（Mobile Application Part）加入者位置報告”をＧＭＬＣに直接送信することになると共に、ここで、図に示されたＶ−ＧＭＬＣとＧＭＬＣとの間の対話、すなわちステップ４０９、及びステップ４１２は省略され得る。もしＭＳＣ／ＭＳＣサーバがＧＭＬＣに直接アクセスすることができない場合、ＭＳＣ／ＭＳＣサーバは、ＭＳＣ／ＭＳＣサーバ自身が直接アクセスすることができるＶ−ＧＭＬＣを割り当てると共に、対象ＵＥの偽名、対象ＵＥの位置情報、要求元の識別情報、及び“位置サービス要請”に含まれるＧＭＬＣアドレスを伝達する対象ＵＥの“ＭＡＰ加入者位置報告”をＶ−ＧＭＬＣに送信し、ステップ４０８を続行することになる。もし対象ＵＥによって提起された“位置サービス要請”がＧＭＬＣアドレスを伝達しない場合、ＭＳＣ／ＭＳＣサーバは、ＭＳＣ／ＭＳＣサーバ自身が直接アクセスすることができるＶ−ＧＭＬＣを割り当てると共に、対象ＵＥの偽名、対象ＵＥの位置情報、及び要求元の識別情報を伝達する対象ＵＥの“ＭＡＰ加入者位置報告”をＶ−ＧＭＬＣに送信し、ステップ４０８を続行することになる。もしＲＡＮが対象ＵＥを測位することができない場合、それは、エラー原因の値を含む“位置報告”をＭＳＣ／ＭＳＣサーバに返信すると共に、ステップ４１４に直接進行する。すなわちＭＳＣ／ＭＳＣサーバは、エラー原因の値を伝達する“ＬＣＳ  ＭＯ−ＬＲ  測位結果”をＲＡＮ経由で対象ＵＥに返信する。
【００５６】
ステップ４０８：対象ＵＥのＭＡＰ加入者位置報告を受信した後で、Ｖ−ＧＭＬＣは、“ＭＡＰ加入者位置報告”がＧＭＬＣアドレスを伝達するかどうかを判定すると共に、もし、ＭＡＰ加入者位置報告がＧＭＬＣアドレスを伝達する場合には、ステップ４０９に進行し、そうでなければ、Ｖ−ＧＭＬＣは、それが、要求元の識別情報に基づいて、要求元に直接アクセスすることができるかどうかを判定する。もしＶ−ＧＭＬＣが要求元に直接アクセスすることができる場合、それは、対象ＵＥの偽名及び位置情報を伝達する対象ＵＥの“位置情報”を要求元に直接送信することになると共に、ここで、図に示されたＶ−ＧＭＬＣとＧＭＬＣとの間の対話、すなわちステップ４０９、及びステップ４１２は省略され得る。そうでなければ、Ｖ−ＧＭＬＣは、要求元の識別情報に基づいて要求元に直接アクセスすることができるＧＭＬＣを割り当てると共に、ステップ４０９を続行することになる。
【００５７】
ステップ４０９：Ｖ−ＧＭＬＣは、対象ＵＥの偽名、対象ＵＥの位置情報、及び要求元の識別情報を含む対象ＵＥの“ＭＯ−ＬＲ位置情報”を、ＧＭＬＣアドレスに基づくＧＭＬＣに送信する。
【００５８】
ステップ４１０：対象ＵＥの“ＭＯ−ＬＲ位置情報”を受信すると、ＧＭＬＣは、要求元の識別情報に基づいて、対象ＵＥの偽名及び位置情報を伝達する対象ＵＥの“位置情報”を要求元に送信する。
【００５９】
ステップ４１１〜４１４は、ステップ２０９〜２１２と基本的に同じである。
【００６０】
ステップ４１５：対象ＵＥは、ＬＣＳシステムの占有された資源を解放する。すなわち、ＬＣＳシステムとのＣＭ、ＭＭ、ＲＲＣ接続を解放すると共に、回線交換領域の現在のＭＯ−ＬＲ手続きを終了する。
【００６１】
図５は、本発明の別の実施例のフローチャートである。図５において示されたように、本実施例において、要求元の識別情報を伝達するＭＯ−ＬＲの手続きは、以下のステップを含む。
【００６２】
ステップ５０１：対象ＵＥは、ネットワークとの無線信号伝達接続を設定することを要求するサービス要求をＳＧＳＮに送信する。サービス要求を受信した後で、ＳＧＳＮは、対象ＵＥとのパケット交換（ＰＳ：Packet Switched）領域の信号伝達接続を設定する。
【００６３】
ステップ５０２〜５０３：対象ＵＥは、対象ＵＥを測位することをＬＣＳシステムに要求する“ＬＣＳ  ＭＯ−ＬＲ  要請”をＲＡＮ経由でＳＧＳＮに送信する。“ＬＣＳ  ＭＯ−ＬＲ  要請”は、偽名の指示、及び要求元の識別情報を伝達すると共に、ＬＣＳシステムが対象ＵＥの位置情報を要求元に提供する間、ＬＣＳシステムが対象ＵＥの正体よりむしろＬＣＳシステムに割り当てられた対象ＵＥのための偽名を要求元に提供するべきであることを依頼する。“位置サービス要請”は、対象ＵＥによって指定されたＧＭＬＣアドレスを更に伝達することができると共に、ＧＭＬＣアドレスに対応するＧＭＬＣ経由で対象ＵＥの位置情報を要求元に提供することをＳＧＳＮに要求する。それが“ＬＣＳ  ＭＯ−ＬＲ  要請”を受信した後で、ＳＧＳＮは、対象ＵＥに関する“位置要求”をＲＡＮに送信する。
【００６４】
ステップ５０４〜５０５：“位置要求”を受信した後で、ＲＡＮは、対象ＵＥを測位すると共に、対象ＵＥの位置推定値を獲得する。もしそれが対象ＵＥを測位することに成功する場合、ＲＡＮは、対象ＵＥの位置情報を含む“位置報告”をＳＧＳＮに返信することになる。“位置報告”を受信した後で、ＳＧＳＮは、対象ＵＥによって提起された“ＬＣＳ  ＭＯ−ＬＲ  要請”が、ＧＭＬＣアドレスを伝達するかどうかを判定すると共に、もしそれがＧＭＬＣアドレスを伝達する場合、ＳＧＳＮは、ＳＧＳＮ自身がＧＭＬＣアドレスに対応するＧＭＬＣに直接アクセスすることができるかどうかを判定し続けることになる。もしそれがＧＭＬＣに直接アクセスすることができる場合、ＳＧＳＮは、偽名の指示、対象ＵＥの正体、及び対象ＵＥの位置情報を伝達する“加入者位置報告”をＧＭＬＣに直接送信することになると共に、ここで、図において示されたＶ−ＧＭＬＣとＧＭＬＣとの間の対話、すなわちステップ５０７、及びステップ５１０は省略され得る。そうでなければ、ＳＧＳＮは、直接アクセス可能なＶ−ＧＭＬＣを割り当てると共に、対象ＵＥの偽名の指示、正体、及び位置情報、要求元の識別情報、及び“ＬＣＳ  ＭＯ−ＬＲ  要請”に含まれるＧＭＬＣアドレスを伝達する対象ＵＥの“加入者位置報告”をＶ−ＧＭＬＣに送信し、そしてステップ５０６を続行することになる。もし対象ＵＥによって提起された“ＬＣＳ  ＭＯ−ＬＲ  要請”がＧＭＬＣアドレスを伝達しない場合、ＳＧＳＮは、ＳＧＳＮが直接アクセスすることができるＶ−ＧＭＬＣを割り当てると共に、対象ＵＥの偽名の指示、対象ＵＥの正体と位置情報、要求元の識別情報を伝達する対象ＵＥの“加入者位置報告”をＶ−ＧＭＬＣに送信し、そしてステップ５０６を続行することになる。もしＲＡＮが対象ＵＥを測位することができない場合、それは、エラー原因の値を含む位置報告をＳＧＳＮに返信すると共に、ステップ５１２に直接進行することになる。すなわち、ＳＧＳＮは、ＲＡＮ経由でエラー原因の値を伝達する“サービス応答”を対象ＵＥに返信する。
【００６５】
ステップ５０６：対象ＵＥの“加入者位置報告”を受信すると、“加入者位置報告”内で伝達される偽名の指示、及び対象ＵＥの正体に基づいて、Ｖ−ＧＭＬＣは、Ｖ−ＧＭＬＣ自身が対象ＵＥの偽名を割り当てることができるかどうかを判定すると共に、もしそれが偽名を割り当てることができる場合、Ｖ−ＧＭＬＣは、対象ＵＥの正体に基づいて対象ＵＥに偽名を割り当てると共に、次の手続きを続行することになり、もしＶ−ＧＭＬＣが対象ＵＥに偽名を割り当てることができない場合、Ｖ−ＧＭＬＣは、対象ＵＥのＨ−ＧＭＬＣのアドレスを獲得するために、対象ＵＥのＨＬＲ／ＨＳＳと情報をやり取りすることができると共に、対象ＵＥの偽名の指示及び正体を伝達する“ＭＯ−ＬＲ位置情報”をＨ−ＧＭＬＣに送信することができ、対象ＵＥに偽名を割り当てるようにＨ−ＧＭＬＣに要求する。“ＭＯ−ＬＲ位置情報”を受信した後で、Ｈ−ＧＭＬＣは、それの正体に基づいて対象ＵＥに偽名を割り当てるか、または対象ＵＥに偽名を割り当てるようにＰＭＤに要求するためにＰＭＤと情報をやり取りする。その場合に、Ｈ−ＧＭＬＣは、対象ＵＥに割り当てられた偽名を伝達する“ＭＯ−ＬＲ位置情報Ａｃｋ”をＶ−ＧＭＬＣに返信する。
【００６６】
対象ＵＥの偽名を獲得した後で、Ｖ−ＧＭＬＣは、受信されたメッセージがＧＭＬＣのアドレスを含むかどうかを判定すると共に、もしそれがアドレスを含む場合、ステップ５０７進行し、もしそうでなければ、Ｖ−ＧＭＬＣは、要求元が、要求元の識別情報に基づいて直接アクセスされ得るかどうかを判定し続ける。もし要求元が直接アクセスされ得る場合、Ｖ−ＧＭＬＣは、対象ＵＥの偽名及び位置情報を伝達する対象ＵＥの“加入者位置報告”を要求元に直接送信することになると共に、ここで、図において示されたＶ−ＧＭＬＣとＧＭＬＣとの間の対話、すなわちステップ５０７、及びステップ５１０は省略され得る。そうでなければ、Ｖ−ＧＭＬＣは、要求元の識別情報に基づいて要求元にアクセスすることができるＧＭＬＣを割り当てることになると共に、ステップ５０７を続行する。
【００６７】
ステップ５０７：ＧＭＬＣアドレスに基づいて、Ｖ−ＧＭＬＣは、対象ＵＥの偽名及び位置情報、そして要求元の識別情報を含む対象ＵＥの“ＭＯ−ＬＲ位置情報”をＧＭＬＣに送信する。
【００６８】
ステップ５０８：それが対象ＵＥの“ＭＯ−ＬＲ位置情報”を受信した後で、ＧＭＬＣは、要求元の識別情報に基づいて、対象ＵＥの偽名及び位置情報を含む対象ＵＥの“位置情報”を要求元に送信する。
【００６９】
ステップ５０９〜５１２は、ステップ２０９〜２１２と基本的に同じである。
【００７０】
前述のステップ５０６において、対象ＵＥの偽名は、Ｖ−ＧＭＬＣ自身によって割り当てられるか、または対象ＵＥのＨ−ＧＭＬＣ／ＰＭＤに偽名を割り当てるように要求するＶ−ＧＭＬＣによって獲得される。もう一つの方法として、Ｖ−ＧＭＬＣは、対象ＵＥの偽名の指示を全く処理することができず、その代りに、対象ＵＥの偽名の指示、位置情報、及び要求元の識別情報を伝達する対象ＵＥの“ＭＯ−ＬＲ位置情報”をＧＭＬＣに直接送信することができる。その場合に、ＧＭＬＣは、偽名の指示、及び対象ＵＥの正体に基づいて、対象ＵＥに偽名を割り当てることになるか、または、場合によっては、対象ＵＥに偽名を割り当てるように対象ＵＥのＨ−ＧＭＬＣ／ＰＭＤに依頼することになると共に、その場合には、偽名及び対象ＵＥの位置情報を伝達する対象ＵＥの“位置情報”を要求元に送信する。
【００７１】
更に、ステップ５０４〜５０５において言及されるように、もしＳＧＳＮがＧＭＬＣにアクセスすることができる場合、それは、対象ＵＥの偽名の指示、正体、及び位置情報を含む対象ＵＥの“加入者位置報告”をＧＭＬＣに直接送信することになる。この場合は、対象ＵＥの“加入者位置報告”を受信した後で、ＧＭＬＣは、同様に、偽名の指示、及び対象ＵＥの正体に基づいて、対象ＵＥに偽名を割り当てることができるか、または対象ＵＥに偽名を割り当てるように対象ＵＥのＨ−ＧＭＬＣ／ＰＭＤに依頼することができると共に、その場合に、ＧＭＬＣは、対象ＵＥの偽名及び位置情報を伝達する対象ＵＥの“位置情報”を要求元に送信することになる。
【００７２】
第２の実施例において、Ｖ−ＧＭＬＣは、対象ＵＥの偽名の指示及び正体を伝達する“ＭＯ−ＬＲ  位置情報”をＨ−ＧＭＬＣに直接送信し、対象ＵＥに偽名を割り当てるようにＨ−ＧＭＬＣに要求すると共に、その場合に、Ｈ−ＧＭＬＣは、Ｈ−ＧＭＬＣによって割り当てられた対象ＵＥに関する偽名を含む“ＭＯ−ＬＲ位置情報Ａｃｋ”をＶ−ＧＭＬＣに返信する。もう一つの方法として、Ｖ−ＧＭＬＣは、対象ＵＥの偽名の指示、正体、及び位置情報、そして要求元の識別情報、及び可能なＧＭＬＣアドレスを伝達する“ＭＯ−ＬＲ位置情報”をＨ−ＧＭＬＣに送信することができる。対象ＵＥに偽名を割り当てることが完了すると、Ｈ−ＧＭＬＣは、“ＭＯ−ＬＲ位置情報”がＧＭＬＣアドレスを伝達するかどうかを判定する。もしそれがＧＭＬＣアドレスを伝達する場合、ＧＭＬＣアドレスに基づいて、Ｈ−ＧＭＬＣは、対象ＵＥの偽名、対象ＵＥの位置情報、及び要求元の識別情報を含む“ＭＯ−ＬＲ位置情報”をＧＭＬＣに送信することになる。もし“ＭＯ−ＬＲ位置情報”がＧＭＬＣアドレスを伝達しない場合、Ｈ−ＧＭＬＣは、それが、要求元の識別情報に基づいて、要求元に速やかにアクセスすることができるかどうかを判定することになる。もしＨ−ＧＭＬＣが要求元に速やかにアクセスすることができる場合、それは、対象ＵＥの偽名及び位置情報を含む“ＭＯ−ＬＲ位置情報”を要求元に送信することになり、そうでなければ、要求元の識別情報に基づいて、Ｈ−ＧＭＬＣは、アクセス可能なＧＭＬＣのアドレスを割り当てることになると共に、その場合に、対象ＵＥの偽名、対象ＵＥの位置情報、及び要求元の識別情報を伝達する“ＭＯ−ＬＲ位置情報”をＧＭＬＣに送信する。最後に、ＧＭＬＣは、対象ＵＥの偽名及び位置情報を含む“ＭＯ−ＬＲ位置情報”を要求元に送信することになる。更に、前述の実施例によれば、ネットワークオペレータは、加入者のサービス使用のプライバシを保護することを能率的に実現できる。対象ＵＥのホームネットワークのオペレータは、対象ＵＥの訪問先ネットワークオペレータとの協定に署名することができる。その協定は、対象ＵＥの訪問先ネットワークが、対象ＵＥの位置情報を要求元に提供することをネットワークに依頼するための対象ＵＥによって提起された位置を求める要求を受信した後で、それ以降に訪問先ネットワークが対象ＵＥの位置情報を獲得することをを必要とする。Ｖ−ＧＭＬＣは、対象ＵＥの“ＭＯ−ＬＲ位置情報”を要求元にアクセスすることができるＧＭＬＣに直接送信するべきでなく、その代りに、それは、ＧＭＬＣアドレスを伝達する対象ＵＥの“ＭＯ−ＬＲ位置情報”をＨ−ＧＭＬＣに送信するべきである。次に、Ｈ−ＧＭＬＣは、続いて対象ＵＥに偽名を割り当てると共に、最後に対象ＵＥの偽名及び位置情報をＧＭＬＣ経由で要求元に送信するべきである。このように、対象ＵＥの正体が秘密にされると共に、サービスを使用することの安全性が向上する。
【００７３】
ＬＣＳシステムに対象ＵＥ自身の偽名を割り当てるように依頼する対象ＵＥの場合、ＬＣＳシステムは、事前に格納された情報に基づいて、対象ＵＥの正体に一対一で対応する偽名を割り当てることができ、例えば、ＬＣＳシステムは、対象ＵＥの正体を暗号に変えることによって獲得される偽名を割り当てることができると共に、対象ＵＥは、対象ＵＥの正体を隠すために対象ＵＥの正体に一対一で対応する偽名によって、要求元における対応するサービスを記録することができる。もう一つの方法として、実用化において、要求元が対象ＵＥの偽名及び位置情報を受信する際に、要求元が対象ＵＥの偽名を承認する必要がないようにすることが可能である。従って、ＬＣＳシステムは、無作為に偽名を割り当てることができる。すなわち、対象ＵＥとその偽名との間の対応には固定した関係がない。例えば、対象ＵＥは、位置を求める要求を提起することができ、電子マップフォーマットまたはテキストフォーマットにおける対象ＵＥの位置情報を返信するようにＬＣＳシステムに依頼する。対象ＵＥを測位すると共に、それについての位置推定値を獲得した後で、ＬＣＳシステムは、保存された要求元の能力の情報に基づいて、あらゆるフォーマットを上述の電子マップまたはテキストのフォーマットに変える能力を有する要求元を決定することができると共に、その場合に、対象ＵＥの偽名及び位置情報を要求元に送信する。この場合、対象ＵＥの偽名に基づいて対象ＵＥがサービスに加入したかどうかを判定することは要求元に必要とされず、従って、要求元にとって、対象ＵＥの偽名を承認することは必要ではない。要求元は、要求に基づいて、対象ＵＥの位置情報を直接変換することになると共に、その場合に、対象ＵＥの変換された位置情報をＬＣＳシステムに返信することになる。ＬＣＳシステムは、ショートメッセージサービス（Short Message Service：ＳＭＳ）、マルチメディアメッセージサービス（Multimedia Message Service：ＭＭＳ）等を用いて、電子マップまたはテキストの適切なフォーマットにおいて位置情報を対象ＵＥに送信することになる。更に、受信された対象ＵＥの位置情報に含まれる利用者の識別情報を認証することのような処理を実行することが要求元に必要とされない場合、ＬＣＳシステムは、偽名の指示に基づいて対象ＵＥの識別情報を全く提供しないかもしれないが、しかし対象ＵＥの位置情報を要求元に直接送信し得る。
【００７４】
総括すると、上記は、本発明のただ好ましい実施例であると共に、それについて保護範囲を制限すると解釈されるべきでない。
【図面の簡単な説明】
【００７５】
【図１】位置サービスを実行するための論理的構造を説明する構成図である。
【図２】従来技術におけるＭＯ−ＬＲを処理するためのフローチャートである。
【図３】本発明の実施例に基づくＭＯ−ＬＲを処理するためのフローチャートである。
【図４】本発明に基づく別の実施例のフローチャートである。
【図５】本発明に基づく別の実施例のフローチャートである。
【符号の説明】
【００７６】
１０１    要求元
１０２    ネットワーク
１０３    対象ＵＥ
【図１】
2007519346.tif 000003
【図２】
2007519346.tif 000004
【図３】
2007519346.tif 000005
【図４】
2007519346.tif 000006
【図５】
2007519346.tif 000007
【手続補正書】
【提出日】平成18年7月19日(2006.7.19)
【手続補正１】
【補正対象書類名】特許請求の範囲
【補正対象項目名】全文
【補正方法】変更
【補正の内容】
【特許請求の範囲】
【請求項１】
対象利用者装置（ＵＥ）が、位置を求める要求を位置サービス（ＬＣＳ）システムに送信すると共に、前記対象ＵＥの位置情報を要求元に提供するように、前記ＬＣＳシステムに依頼する段階と、
前記ＬＣＳシステムが、前記対象ＵＥを測位すると共に、前記対象ＵＥの位置情報を獲得する段階と、
前記対象ＵＥの正体が秘密にされるべきであるかどうかを、前記ＬＣＳシステムが判定すると共に、もし前記対象ＵＥの正体が秘密にされるべきである場合には、前記対象ＵＥの位置情報と偽名を前記要求元に送信する段階と
を含むことを特徴とする位置を求める要求を処理するための方法。
【請求項２】
前記対象ＵＥの正体が秘密にされるべきであるかどうかを判定する段階が、
前記対象ＵＥによって送信された位置を求める要求が前記対象ＵＥによって指定された偽名を伝達するかどうかを判定すると共に、
もし前記対象ＵＥによって送信された位置を求める要求が前記対象ＵＥによって指定された偽名を伝達する場合には、前記対象ＵＥの位置情報と偽名を前記要求元に送信し、
そうでなければ、前記対象ＵＥの正体と位置情報を前記要求元に送信する段階を含む
ことを特徴とする請求項１に記載の方法。
【請求項３】
前記対象ＵＥの正体が秘密にされるべきであるかどうかを判定する段階が、
前記対象ＵＥによって送信された位置を求める要求が偽名の指示を伝達するかどうかを判定すると共に、
もし前記対象ＵＥによって送信された位置を求める要求が偽名の指示を伝達する場合には、前記対象ＵＥに偽名を割り当てると共に、前記対象ＵＥの位置情報と偽名を前記要求元に送信し、
そうでなければ、前記対象ＵＥの正体と位置情報を前記要求元に送信する段階を含む
ことを特徴とする請求項１に記載の方法。
【請求項４】
前記対象ＵＥの正体が秘密にされるべきであるかどうかを判定する段階が、
前記対象ＵＥによって送信された位置を求める要求が前記対象ＵＥによって指定された偽名を伝達するかどうかを判定すると共に、
もし前記対象ＵＥによって送信された位置を求める要求が前記対象ＵＥによって指定された偽名を伝達する場合には、前記対象ＵＥの位置情報と偽名を前記要求元に送信し、
そうでなければ、更に、前記対象ＵＥによって送信された位置を求める要求が偽名の指示を伝達するかどうかを判定し、
もし位置を求める要求が偽名の指示を伝達する場合には、前記対象ＵＥに偽名を割り当てると共に、前記対象ＵＥの位置情報と偽名を前記要求元に送信し、
もし位置を求める要求が偽名の指示を伝達しない場合には、前記対象ＵＥの正体と位置情報を前記要求元に送信する段階を含む
ことを特徴とする請求項１に記載の方法。
【請求項５】
前記対象ＵＥの正体が秘密にされるべきであるかどうかを判定する段階が、
前記対象ＵＥによって送信された位置を求める要求が偽名の指示を伝達するかどうかを判定し、
もし位置を求める要求が偽名の指示を伝達する場合には、前記対象ＵＥに偽名を割り当てると共に、前記対象ＵＥの位置情報と偽名を前記要求元に送信し、
もし位置を求める要求が偽名の指示を伝達しない場合には、更に、前記対象ＵＥによって送信された位置を求める要求が前記対象ＵＥによって指定された偽名を伝達するかどうかを判定し、
もし位置を求める要求が偽名を伝達する場合には、前記対象ＵＥの位置情報と偽名を前記要求元に送信し、
もし位置を求める要求が偽名を伝達しない場合には、前記対象ＵＥの正体と位置情報を前記要求元に送信する段階を含む
ことを特徴とする請求項１に記載の方法。
【請求項６】
前記対象ＵＥの正体が秘密にされるべきであるかどうかを判定する段階が、
前記対象ＵＥの位置情報を受信することを求める要求元が前記対象ＵＥの正体を分析するべきであるかどうかを判定すると共に、
もし前記対象ＵＥの位置情報を受信することを求める要求元が前記対象ＵＥの正体を分析するべきではない場合には、前記対象ＵＥに偽名を割り当てると共に、前記対象ＵＥの位置情報と偽名を前記要求元に送信し、
そうでなければ、前記対象ＵＥの正体と位置情報を前記要求元に送信する段階を含む
ことを特徴とする請求項１に記載の方法。
【請求項７】
前記偽名が、ホームゲートウェイ移動体位置センタ（Ｈ−ＧＭＬＣ）、訪問先ゲートウェイ移動体位置センタ（Ｖ−ＧＭＬＣ）、またはＬＣＳシステムにおいて要求元にアクセスすることができるゲートウェイ移動体位置センタ（ＧＭＬＣ）によって割り当てられるか、
もう一つの方法として、前記偽名が、前記Ｈ−ＧＭＬＣ、前記Ｖ−ＧＭＬＣ、ＬＣＳシステムの構成要素、または前記Ｈ−ＧＭＬＣ、前記Ｖ−ＧＭＬＣ、前記ＬＣＳシステムの構成要素の後で前記要求元にアクセスすることができる前記ＧＭＬＣ、または前記ＬＣＳシステムの構成要素と情報を送受信する前記ＧＭＬＣによって割り当てられると共に、
前記ＬＣＳシステムの構成要素が、偽名調停装置（ＰＭＤ）、または前記Ｈ−ＧＭＬＣである
ことを特徴とする請求項３から請求項６のいずれか一項に記載の方法。
【請求項８】
前記対象ＵＥの位置情報と偽名を前記要求元に送信する段階が、
ｃ１）無線アクセスネットワーク（ＲＡＮ）によって獲得された前記対象ＵＥの位置情報を受信すると、ＧＭＬＣアドレスが前記対象ＵＥによって提起された位置を求める要求内で伝達されるかどうかをＬＣＳシステムにおけるコアネットワーク（ＣＮ）が判定すると共に、
もし、ＧＭＬＣアドレスが前記対象ＵＥによって提起された位置を求める要求内で伝達される場合には、
ｃ２）前記ＣＮが少なくとも前記対象ＵＥの位置情報を含む前記対象ＵＥの位置報告を前記ＧＭＬＣアドレスに基づいてＧＭＬＣに送信し、該ＧＭＬＣが少なくとも前記対象ＵＥの位置情報と偽名を含む前記対象ＵＥの位置報告を前記要求元に送信すると共に、本方法の現在の処理を終了し、
そうでなければ、
ｃ３）前記ＣＮが少なくとも前記対象ＵＥの位置情報を含む前記対象ＵＥの位置報告をＶ−ＧＭＬＣに送信し、該Ｖ−ＧＭＬＣが少なくとも前記対象ＵＥの位置情報と偽名を含む前記対象ＵＥの位置報告を前記要求元に送信する段階を含む
ことを特徴とする請求項１から請求項６のいずれか一項に記載の方法。
【請求項９】
前記ｃ２）段階において、前記対象ＵＥの位置報告をＧＭＬＣに送信する段階の前に、前記ＧＭＬＣが前記ＧＭＬＣアドレスに基づいて直接アクセスされ得るかどうかを前記ＣＮが判定すると共に、
もし前記ＧＭＬＣが前記ＧＭＬＣアドレスに基づいて直接アクセスされ得る場合には、前記対象ＵＥの位置報告をＧＭＬＣに直接送信し、
そうでなければ、前記ＣＮが前記対象ＵＥの位置報告を前記Ｖ−ＧＭＬＣに送信すると共に、該Ｖ−ＧＭＬＣが前記対象ＵＥの位置報告を前記ＧＭＬＣに送信する段階を更に含む
ことを特徴とする請求項８に記載の方法。
【請求項１０】
前記位置を求める要求が、前記要求元の識別情報を更に含む
ことを特徴とする請求項８に記載の方法。
【請求項１１】
前記Ｖ−ＧＭＬＣが前記対象ＵＥの位置報告を前記要求元に送信する段階の前に、
前記要求元が前記要求元の識別情報に基づいて直接アクセスされ得るかどうかを判定すると共に、
もし前記要求元が前記要求元の識別情報に基づいて直接アクセスされ得る場合には、前記Ｖ−ＧＭＬＣが前記対象ＵＥの位置報告を前記要求元に直接送信し、
そうでなければ、前記対象ＵＥの位置報告を前記要求元にアクセスすることができるＧＭＬＣに送信すると共に、該ＧＭＬＣによって前記対象ＵＥの位置報告が前記要求元に送信される段階を更に含む
ことを特徴とする請求項１０に記載の方法。
【請求項１２】
前記位置報告が、前記対象ＵＥによって指定された偽名、または偽名の指示を更に伝達する
ことを特徴とする請求項８に記載の方法。
【請求項１３】
前記対象ＵＥの位置情報と偽名を前記要求元に送信する段階が、
ＲＡＮによって獲得された前記対象ＵＥの位置情報を受信した後で、前記ＬＣＳシステムにおけるＣＮが前記対象ＵＥの位置情報を少なくとも伝達する前記対象ＵＥの位置報告をＶ−ＧＭＬＣに送信し、
前記Ｖ−ＧＭＬＣが前記対象ＵＥの位置報告をＨ−ＧＭＬＣに送信し、
前記Ｈ−ＧＭＬＣが前記対象ＵＥの位置情報と偽名を少なくとも含む前記対象ＵＥの位置報告を前記要求元に送信する段階を含む
ことを特徴とする請求項１から請求項６のいずれか一項に記載の方法。
【請求項１４】
前記Ｈ−ＧＭＬＣによって前記対象ＵＥの位置報告を前記要求元に送信する段階が、
ＧＭＬＣアドレスが前記対象ＵＥの位置報告内で伝達されるかどうかを前記Ｈ−ＧＭＬＣが判定し、
もしＧＭＬＣアドレスが前記対象ＵＥの位置報告内で伝達される場合には、前記Ｈ−ＧＭＬＣが前記対象ＵＥの位置報告を前記ＧＭＬＣアドレスに対応するＧＭＬＣに送信し、前記ＧＭＬＣが前記対象ＵＥの位置報告を前記要求元に送信すると共に、
そうでなければ、前記要求元が前記要求元の識別情報に基づいて直接アクセスされ得るかどうかを前記Ｈ−ＧＭＬＣが更に判定し、
もし前記要求元が直接アクセスされ得る場合には、前記Ｈ−ＧＭＬＣが前記対象ＵＥの位置報告を前記要求元に直接送信し、
もし前記要求元が直接アクセスされ得ない場合には、前記Ｈ−ＧＭＬＣが前記対象ＵＥの位置報告を前記要求元にアクセスすることができるＧＭＬＣに送信し、該ＧＭＬＣが前記対象ＵＥの位置報告を前記要求元に送信する段階を含む
ことを特徴とする請求項１３に記載の方法。
【請求項１５】
前記Ｈ−ＧＭＬＣが前記対象ＵＥの位置報告を前記要求元に送信する段階の前に、
前記要求元が前記要求元の識別情報に基づいて直接アクセスされ得るかどうかを前記Ｈ−ＧＭＬＣが判定し、
もし前記要求元が直接アクセスされ得る場合には、前記対象ＵＥの位置報告を前記要求元に直接送信し、
そうでなければ、前記対象ＵＥの位置報告を前記要求元にアクセスすることができるＧＭＬＣに送信し、該ＧＭＬＣが前記対象ＵＥの位置報告を前記要求元に送信する段階を含む
ことを特徴とする請求項１３に記載の方法。
【請求項１６】
前記対象ＵＥの位置報告が、前記対象ＵＥによって指定された偽名、または偽名の指示を更に伝達する
ことを特徴とする請求項１３に記載の方法。
【請求項１７】
前記対象ＵＥの位置情報と偽名を前記要求元に送信する段階において、
前記ＬＣＳシステムが前記対象ＵＥの位置情報と偽名を前記要求元に送信する段階の後に、前記要求元が受信された前記対象ＵＥの位置情報を処理すると共に、前記対象ＵＥの位置情報の処理結果を前記ＬＣＳシステムに返信し、ＬＣＳシステムが前記対象ＵＥの位置情報の処理結果を前記対象ＵＥに返信する段階を更に含む
ことを特徴とする請求項１から請求項６のいずれか一項に記載の方法。
【請求項１８】
前記対象ＵＥによって創造された位置を求める要求が、
ＣＮにおける移動体通信交換局（ＭＳＣ）／ＭＳＣサーバに送信された位置サービス要請であるか、または前記ＣＮ内のサービングＧＰＲＳサポートノード（ＳＧＳＮ）に送信されたＬＣＳ移動体発信元位置要求（ＭＯ−ＬＲ）要請であると共に、
前記要求元が、ＬＣＳクライアント、ＬＣＳクライアントのグループ、または前記対象ＵＥそのものである
ことを特徴とする請求項１から請求項６のいずれか一項に記載の方法。
【請求項１９】
前記対象ＵＥの位置報告が、前記ＧＭＬＣに送信されたＭＯ−ＬＲ位置情報か、あるいは、前記Ｖ−ＧＭＬＣに送信されたモバイルアプリケーションパート（ＭＡＰ）加入者位置報告または加入者位置報告か、あるいは前記要求元に送信された位置情報である
ことを特徴とする請求項８に記載の方法。
【手続補正３】
【補正対象書類名】明細書
【補正対象項目名】０００３
【補正方法】変更
【補正の内容】
【０００３】
図１は、ＬＣＳを実現するための論理的構造を説明する構成図である。図１において示されたように、要求元１０１は、ＬＣＳシステムを含むネットワーク１０２が提供する対象ＵＥ１０３の位置を要求する。ネットワーク１０２は、対象ＵＥ１０３が要求元１０１に対象ＵＥ１０３の位置を提供することを許可するかどうかをチェックするために、要求元１０１の正当性の認証を実行する。もし要求元１０１がネットワーク１０２による正当性の認証を通過する場合、ネットワーク１０２は、対象ＵＥ１０３の位置に関して要求元１０１によって提起された要求を受け入れ、対象ＵＥ１０３を測位すると共に、対象ＵＥの測位結果を要求元１０１に提供することになり、そうでなければ、ネットワーク１０２は、対象ＵＥ１０３の位置に関して要求元１０１によって提起された要求を拒絶することになる。記述のために、ＬＣＳシステムを含むネットワークは、以下では略してＬＣＳシステムと命名される。ここで、対象ＵＥによって創造された位置を求める要求は、移動体通信交換局（Mobile services Switching Centre：ＭＳＣ）／ＭＳＣサーバに送信された“位置サービス要請（Location Service Invoke）”であり得るか、またはサービングＧＰＲＳサポートノード（Serving General Packet Radio Service Support Node：ＳＧＳＮ）に送信されたＬＣＳ移動体発信元位置要求（ＭＯ−ＬＲ）要請であり得ると共に、要求元は、ＬＣＳクライアント（LCS Client）、ＬＣＳクライアントのグループ、または対象ＵＥそのもの、または対象ＵＥの位置情報を処理することができるあらゆる他の端末であり得る。
【手続補正４】
【補正対象書類名】明細書
【補正対象項目名】００１１
【補正方法】変更
【補正の内容】
【００１１】
ステップ２０７：ＧＭＬＣアドレスに基づいて、Ｖ−ＧＭＬＣは、対象ＵＥの識別情報、対象ＵＥの位置情報、及び要求元の識別情報を伝達する“ＭＯ−ＬＲ位置情報”をＧＭＬＣに送信する。ＬＣＳにおいて、ＧＭＬＣに送信された“ＭＯ−ＬＲ位置情報”、Ｖ−ＧＭＬＣに送信された“モバイルアプリケーションパート（Mobile Application Part：ＭＡＰ）加入者位置報告”または“加入者位置報告”、要求元に送信された“位置情報”は、一般的名称では対象ＵＥの位置報告と呼ばれる。
【手続補正５】
【補正対象書類名】明細書
【補正対象項目名】００１７
【補正方法】変更
【補正の内容】
【００１７】
もし要求元がサービス要求に基づいて対象ＵＥの位置情報を処理することができる場合、要求元がＬＣＳシステムに返信する対象ＵＥの“位置情報Ａｃｋ”は、成功フラグを含むことになると共に、これに対して、ＬＣＳシステムが対象ＵＥに送信する“ＬＣＳ  ＭＯ−ＬＲ  返信結果”は、成功フラグを伝達することになると共に、対象ＵＥの位置情報の要求元の処理結果を更に含むことになる。もし、要求元がサービス要求に基づいて対象ＵＥの位置情報を処理することができない場合、要求元によってＬＣＳシステムに返信された対象ＵＥの“位置情報Ａｃｋ”は、失敗フラグを伝達することになる。これに対して、ＬＣＳシステムにより対象ＵＥに送信される“ＬＣＳ  ＭＯ−ＬＲ  返信結果”は、失敗フラグを含むことになると共に、エラー原因の値を更に伝達することができる。ここでは、位置情報は、対象ＵＥの位置を説明するためのものである。ネットワーク側における構成要素、例えばＲＡＮ、ＧＭＣＬ、Ｖ−ＧＭＬＣ、及びＣＮの間で伝送された位置情報は、端末、例えば要求元及びＵＥにとっては、処理に適していないかもしれない。そのため、ネットワークの構成要素が対象ＵＥの位置情報を要求元に送信するとき、構成要素は、まず最初に、受信された位置情報に関する変換を実行することができる。従って、受信された位置情報は、要求元によって処理され得る別の形の位置情報に変換されると共に、続いて構成要素は、変換された位置情報を要求元に送信することができる。前述された３ＧＰＰ仕様によって定義されたＭＯ−ＬＲ手続きから分かるように、もし対象ＵＥが、それ自身の位置をＬＣＳシステムに要求すると共に、対象ＵＥの位置情報を要求元に提供するようにＬＣＳシステムに依頼する場合、対象ＵＥを測位すると共に、対象ＵＥの位置推定値を獲得した後で、ＬＣＳシステムは、位置推定値に基づいて対象ＵＥの位置情報を要求元に提供することになる。対象ＵＥの位置情報を要求元に提供すると、ＬＣＳシステムは、対象ＵＥの正体を要求元に同時に提供する。正体は、例えば、“ＭＳＩＳＤＮ（Mobile Station International ISDN Number）”、または“ＩＭＳＩ（International Mobile Subscriber Identity）”等、移動体通信ネットワークにより統一された方法で対象ＵＥに割り当てられると共に、対象ＵＥを比類なく識別することができる一種の識別情報である。実際上、対象ＵＥが対象ＵＥの位置情報を要求元に提供することをＬＣＳシステムにを要求するとき、安全性及びプライバシのために、対象ＵＥは、それ自身の正体が秘密にされることを望むかもしれない。
【手続補正６】
【補正対象書類名】明細書
【補正対象項目名】００５１
【補正方法】変更
【補正の内容】
【００５１】
更に、ステップ３０６からステップ３０７において、対象ＵＥにより創造された位置を求める要求が偽名の指示を含むとＬＣＳシステムが判定する場合、ＬＣＳシステムは、その代りに対象ＵＥを識別し得る偽名を対象ＵＥに割り当てることができない。その代りに、それは、対象ＵＥの偽名も正体も伴わずに、対象ＵＥの位置情報のみを要求元に送信すると共に、その後、現在のＭＯ−ＬＲ手続きを終了することができる。本発明において、ＬＣＳシステムは、対象ＵＥの正体が秘密にされるべきであるかどうかを判定するために、別の方法を使用することができる。ＬＣＳシステムは、対象ＵＥの位置情報を受信することを求める要求元が対象ＵＥの正体を分析するべきであるかどうかを判定することができると共に、もし対象ＵＥの位置情報を受信することを求める要求元が対象ＵＥの正体を分析するべきではない場合には、対象ＵＥに偽名を割り当てると共に、その場合に、対象ＵＥの位置情報と偽名を要求元に送信し、そうでなければ、対象ＵＥの正体と位置情報を要求元に送信する。
【手続補正７】
【補正対象書類名】明細書
【補正対象項目名】００７２
【補正方法】変更
【補正の内容】
【００７２】
第２の実施例において、Ｖ−ＧＭＬＣは、対象ＵＥの偽名の指示及び正体を伝達する“ＭＯ−ＬＲ  位置情報”をＨ−ＧＭＬＣに直接送信し、対象ＵＥに偽名を割り当てるようにＨ−ＧＭＬＣに要求すると共に、その場合に、Ｈ−ＧＭＬＣは、Ｈ−ＧＭＬＣによって割り当てられた対象ＵＥに関する偽名を含む“ＭＯ−ＬＲ位置情報Ａｃｋ”をＶ−ＧＭＬＣに返信する。もう一つの方法として、Ｖ−ＧＭＬＣは、対象ＵＥの偽名の指示、正体、及び位置情報、そして要求元の識別情報、及び可能なＧＭＬＣアドレスを伝達する“ＭＯ−ＬＲ位置情報”をＨ−ＧＭＬＣに送信することができる。対象ＵＥに偽名を割り当てることが完了すると、Ｈ−ＧＭＬＣは、“ＭＯ−ＬＲ位置情報”がＧＭＬＣアドレスを伝達するかどうかを判定する。もしそれがＧＭＬＣアドレスを伝達する場合、ＧＭＬＣアドレスに基づいて、Ｈ−ＧＭＬＣは、対象ＵＥの偽名、対象ＵＥの位置情報、及び要求元の識別情報を含む“ＭＯ−ＬＲ位置情報”をＧＭＬＣに送信することになる。もし“ＭＯ−ＬＲ位置情報”がＧＭＬＣアドレスを伝達しない場合、Ｈ−ＧＭＬＣは、それが、要求元の識別情報に基づいて、要求元に速やかにアクセスすることができるかどうかを判定することになる。もしＨ−ＧＭＬＣが要求元に速やかにアクセスすることができる場合、それは、対象ＵＥの偽名及び位置情報を含む“ＭＯ−ＬＲ位置情報”を要求元に送信することになり、そうでなければ、要求元の識別情報に基づいて、Ｈ−ＧＭＬＣは、アクセス可能なＧＭＬＣのアドレスを割り当てることになると共に、その場合に、対象ＵＥの偽名、対象ＵＥの位置情報、及び要求元の識別情報を伝達する“ＭＯ−ＬＲ位置情報”をＧＭＬＣに送信する。最後に、ＧＭＬＣは、対象ＵＥの偽名及び位置情報を含む“ＭＯ−ＬＲ位置情報”を要求元に送信することになる。上述の実施例において、偽名は、Ｈ−ＧＭＬＣ、Ｖ−ＧＭＬＣ、またはＬＣＳシステムにおいて要求元にアクセスすることができるＧＭＬＣによって割り当てられることができる。もう一つの方法として、偽名は、Ｈ−ＧＭＬＣ、Ｖ−ＧＭＬＣ、ＬＣＳシステムの構成要素、またはＨ−ＧＭＬＣ、Ｖ−ＧＭＬＣ、ＬＣＳシステムの構成要素の後で要求元にアクセスすることができるＧＭＬＣ、またはＬＣＳシステムの構成要素と情報を送受信するＧＭＬＣによって割り当てられることができる。ここで、ＬＣＳシステムの構成要素は、偽名調停装置（ＰＭＤ：Pseudonym Mediation Device）、またはＨ−ＧＭＬＣであり得る。更に、前述の実施例によれば、ネットワークオペレータは、加入者のサービス使用のプライバシを保護することを能率的に実現できる。対象ＵＥのホームネットワークのオペレータは、対象ＵＥの訪問先ネットワークオペレータとの協定に署名することができる。その協定は、対象ＵＥの訪問先ネットワークが、対象ＵＥの位置情報を要求元に提供することをネットワークに依頼するための対象ＵＥによって提起された位置を求める要求を受信した後で、それ以降に訪問先ネットワークが対象ＵＥの位置情報を獲得することをを必要とする。Ｖ−ＧＭＬＣは、対象ＵＥの“ＭＯ−ＬＲ位置情報”を要求元にアクセスすることができるＧＭＬＣに直接送信するべきでなく、その代りに、それは、Ｇ��ＬＣアドレスを伝達する対象ＵＥの“ＭＯ−ＬＲ位置情報”をＨ−ＧＭＬＣに送信するべきである。次に、Ｈ−ＧＭＬＣは、続いて対象ＵＥに偽名を割り当てると共に、最後に対象ＵＥの偽名及び位置情報をＧＭＬＣ経由で要求元に送信するべきである。このように、対象ＵＥの正体が秘密にされると共に、サービスを使用することの安全性が向上する。
【国際調査報告】
2007519346.tif 000008
2007519346.tif 000009
2007519346.tif 000010
2007519346.tif 000011